(57)【特許請求の範囲】
【請求項１】
赤色（Ｒ）及び緑色（Ｇ）のサブピクセルペアと、青色（Ｂ）及び緑色（Ｇ）のサブピクセルペアとを含む画素により画像が構成される表示装置であって、
該表示装置は、赤色（Ｒ）及び青色（Ｂ）のサブピクセルにおける、１つ当たりの開口面積と単位開口面積当たりの光量との積が、緑色（Ｇ）のサブピクセルの略２倍である画素を主体とし、
該表示装置は、サブピクセルペアを信号単位とする画像信号を色毎に生成し、該赤色（Ｒ）及び青色（Ｂ）のサブピクセルは、連続するサブピクセルペアに対応する２以上の画像信号を平均化処理して得られる平均化画像信号によりそれぞれ駆動され、
該平均化画像信号は、赤色（Ｒ）のサブピクセルに入力される画像信号と、青色（Ｂ）のサブピクセルに入力される画像信号とで、平均化処理に用いられるサブピクセルペアの組み合わせが異なり、
該表示装置は、同一垂直ライン上に交互に配置された赤色（Ｒ）のサブピクセルと青色（Ｂ）のサブピクセルとに、共通のデータ信号線が接続されたものであり、
該表示装置は、画素が碁盤目状に配置された表示部を有し、サブピクセルに印加される階調電圧の極性が、隣接する画素毎、水平のライン毎、及び、フレーム毎に反転され、
赤色（Ｒ）及び緑色（Ｇ）のサブピクセルペアにおける赤色（Ｒ）のサブピクセルと緑色（Ｇ）のサブピクセルとの間で、サブピクセルに印加される階調電圧の極性が反転され、
赤色（Ｒ）及び緑色（Ｇ）のサブピクセルペアにおける緑色（Ｇ）のサブピクセルと、該緑色（Ｇ）のサブピクセルに隣接する、青色（Ｂ）及び緑色（Ｇ）のサブピクセルペアにおける青色（Ｂ）のサブピクセルとの間で、サブピクセルに印加される階調電圧の極性が同一であり、
青色（Ｂ）及び緑色（Ｇ）のサブピクセルペアにおける青色（Ｂ）のサブピクセルと緑色（Ｇ）のサブピクセルとの間で、サブピクセルに印加される階調電圧の極性が反転される
ことを特徴とする表示装置。
【請求項２】
前記表示装置は、赤色（Ｒ）及び青色（Ｂ）のサブピクセルにおける、１つ当たりの開口面積が、緑色（Ｇ）のサブピクセルの略２倍である画素を主体とすることを特徴とする請求項１記載の表示装置。
【請求項３】
前記表示装置は、赤色（Ｒ）及び青色（Ｂ）のサブピクセルにおける、単位開口面積当たりの光量が、緑色（Ｇ）のサブピクセルの略２倍である画素を主体とすることを特徴とする請求項１記載の表示装置。
【請求項４】
前記表示装置は、バックライトを有し、該バックライトは、赤色（Ｒ）及び青色（Ｂ）の発光強度が緑色（Ｇ）の発光強度に対して略２倍であることを特徴とする請求項３記載の表示装置。
【請求項５】
前記表示装置は、赤色（Ｒ）、緑色（Ｇ）、青色（Ｂ）及び緑色（Ｇ）の順にサブピクセルが配置されていることを特徴とする請求項１記載の表示装置。
【請求項６】
前記平均化処理は、２以上の画像信号を階調値から輝度値に変換して平均値を得て、該平均値から階調値に再変換して平均化画像信号を生成するものであることを特徴とする請求項１記載の表示装置。
【請求項７】
前記表示装置は、入力側に第１及び第２の入力線が接続され、かつ出力側に第１及び第２のデータ信号線が接続された駆動回路を有し、
該第１の入力線は、赤色（Ｒ）及び青色（Ｂ）のサブピクセルに対応する画像信号の混成信号を第１のデータ信号線に対して供給し、
該第２の入力線は、緑色（Ｇ）のサブピクセルに対応する画像信号を第２のデータ信号線に対して供給する
ことを特徴とする請求項１記載の表示装置。
【請求項８】
前記表示装置は、入力側に第１、第２及び第３の入力線が接続され、かつ出力側にデータ信号線が接続された駆動回路を有し、
該第１、第２及び第３の入力線は、それぞれ赤色（Ｒ）、緑色（Ｇ）及び青色（Ｂ）のサブピクセルに対応する画像信号の混成信号をデータ信号線に対して供給する
ことを特徴とする請求項１記載の表示装置。
【請求項９】
前記平均化処理に用いられるサブピクセルペアの組み合わせは、赤色（Ｒ）のサブピクセルに入力される画像信号と、青色（Ｂ）のサブピクセルに入力される画像信号とで、１サブピクセルペア分ずれている
ことを特徴とする請求項１記載の表示装置。
【発明の詳細な説明】
【技術分野】
【０００１】本発明は、複数の画素により表示画面が構成される表示装置に関する。より詳しくは、複数の画素により表示画面が構成される、液晶ディスプレイ、ＰＤＰ（Ｐｌａｓｍａ  Ｄｉｓｐｌａｙ  Ｐａｎｅｌ）、有機ＥＬ（Ｅｌｅｃｔｒｏｌｕｍｉｎｅｓｃｅｎｔ）ディスプレイ、ＦＥＤ（Ｆｉｅｌｄ  Ｅｍｉｓｓｉｏｎ  Ｄｉｓｐｌａｙ）等に適用することができる表示装置に関するものである。
【背景技術】
【０００２】表示装置としては、近年、液晶ディスプレイ、ＰＤＰ（Ｐｌａｓｍａ  Ｄｉｓｐｌａｙ  Ｐａｎｅｌ）、有機ＥＬ（Ｅｌｅｃｔｒｏｌｕｍｉｎｅｓｃｅｎｔ）ディスプレイ、ＦＥＤ（Ｆｉｅｌｄ  Ｅｍｉｓｓｉｏｎ  Ｄｉｓｐｌａｙ）等の各種の薄型表示装置が広く用いられるようになった。これらの表示装置においては、更なる性能の向上が求められており、例えば、携帯電話等に用いられる液晶表示装置に対しては、更なる小型化、高解像度が求められている。そのような要望を満たすためには、表示領域の面積を増加させることなく、解像度を高くする必要があり、それを実現する方法としては、画素を構成するサブピクセルのサイズを小さくしつつ、画素数を増やす方法が挙げられる。しかしながら、１画素中には、各画素を構成するサブピクセルに画像信号を供給する配線や、画素を駆動する薄膜トランジスタを設ける必要があるため、サブピクセルのサイズを小さくすると、開口率が低下し、表示画面の明るさが充分に得られない点で改善の余地があった。【０００３】これに対して、画素数を増加させることなく、１画素におけるサブピクセルの配置を変更することにより、見かけ上の解像度を高くする方法が提案されている（例えば、特許文献１及び２参照。）。一般に、解像度は画素数に比例するが、見かけ上の解像度は、１画素における輝度分布によって決まる。通常、液晶ディスプレイ等の表示装置は、図１（ａ）に示すように、１画素が赤色（Ｒ）、緑色（Ｇ）、及び、青色（Ｂ）の３つのサブピクセルにより構成されるものが多い（例えば、特許文献３参照。）。この場合は、図１（ｂ）に示すように、１画素につき１つのピークを有する輝度分布となる。【０００４】一方、特許文献１で提案されているサブピクセルの配置である場合は、図２（ａ）に示すように、１画素が赤（Ｒ）、緑（Ｇ）、青（Ｂ）、及び、緑（Ｇ）の４つのサブピクセルにより構成されることとなり、図２（ｂ）に示すように、１画素につき２つのピークを有する輝度分布となる。これにより、この１画素は、見かけ上、画素２つ分に相当するといえる。すなわち、１画素がＲ、Ｇ、Ｂ、及び、Ｇの４つのサブピクセルから構成される場合は、１画素がＲ、Ｇ、及び、Ｂの３つのサブピクセルから構成される場合と比較して、同じ画素数であっても見かけ上１．５倍の解像度を得ることができる。しかしながら、Ｒ、Ｇ、Ｂ、及び、Ｇの４つのサブピクセルにより構成される画素により画像が表示される表示装置を実現するうえで、各色のサブピクセルのサイズが全て同じ場合は、１画素中のＧのサブピクセル数がＲ又はＢのサブピクセル数の２倍であるため、各色のサブピクセルを最大輝度で点灯させると、ホワイトバランスが、緑色側にシフトし、表示品位が低下する点で、未だ改善の余地があった。
【特許文献１】特開平６−３２４６４９号公報
【特許文献２】特開２００４−１５２７３７号公報
【特許文献３】特開平７−１８１４７２号公報
【発明の開示】
【発明が解決しようとする課題】
【０００５】本発明は、上記現状に鑑みてなされたものであり、見かけ上の解像度を向上させることができるサブピクセルの配列からなる画素、すなわち、Ｒ、Ｇ、Ｂ、及び、Ｇの４つのサブピクセルを含む画素により画像が表示される場合に、白表示のホワイトバランスを改善し、良好な表示品位が得られる表示装置を提供することを目的とするものである。
【課題を解決するための手段】
【０００６】本発明者らは、画素数を増加させることなく、見かけ上の解像度を向上させることができる赤色（Ｒ）及び緑色（Ｇ）のサブピクセルペアと、青色（Ｂ）及び緑色（Ｇ）のサブピクセルペアとを含む画素により画像が構成される表示装置について種々検討したところ、１画素中の緑色（Ｇ）のサブピクセル数が、青色（Ｂ）又は赤色（Ｒ）のサブピクセル数よりも１つ多いために、各色のサブピクセルを最大輝度で点灯させると、ホワイトバランスが、緑色（Ｇ）側にシフトし、表示品位が低下する点に着目した。そして、赤色（Ｒ）及び青色（Ｂ）のサブピクセルの１つ当たりの光量を緑色（Ｇ）のサブピクセルの略２倍とすることにより、ホワイトバランスが改善されることを見いだした。すなわち、各色のサブピクセルの開口面積及び単位開口面積当たりの光量を調整することにより、上記課題をみごとに解決することができることに想到し、本発明に到達したものである。【０００７】すなわち、本発明は、赤色（Ｒ）及び緑色（Ｇ）のサブピクセルペアと、青色（Ｂ）及び緑色（Ｇ）のサブピクセルペアとを含む画素により画像が構成される表示装置であって、上記表示装置は、赤色（Ｒ）及び青色（Ｂ）のサブピクセルにおける、１つ当たりの開口面積と単位開口面積当たりの光量との積が、緑色（Ｇ）のサブピクセルの略２倍である画素を主体とする表示装置である。【０００８】上記サブピクセルとは、個別に駆動制御することが可能な表示単位であり、通常、サブピクセルがデータ信号線から供給される画像信号により制御される最小の表示単位となる。本発明においては、少なくとも赤色（Ｒ）、青色（Ｂ）、及び、緑色（Ｇ）の３色のサブピクセルの集合体が画素（ピクセル）を構成し、表示装置におけるカラー表示が実現される。【０００９】上記サブピクセルペアとは、２以上の互いに隣接又は連続するサブピクセルから構成されるサブピクセルの組である。なお、本発明において、「赤色（Ｒ）及び緑色（Ｇ）のサブピクセルペアと、青色（Ｂ）及び緑色（Ｇ）のサブピクセルペアとを含む」とは、言い換えれば、「赤色（Ｒ）及び緑色（Ｇ）のサブピクセルを組み合わせたサブピクセル配列と、青色（Ｂ）及び緑色（Ｇ）のサブピクセルを組み合わせたサブピクセル配列とを含む」であり、すなわち、赤色（Ｒ）及び緑色（Ｇ）のサブピクセルペアと、青色（Ｂ）及び緑色（Ｇ）のサブピクセルペアとが隣接又は連続して配置されていなくてもよく、例えば、赤色（Ｒ）及び緑色（Ｇ）のサブピクセルペアと、青色（Ｂ）及び緑色（Ｇ）のサブピクセルペアとの間に、白色（Ｗ）等のサブピクセルを含む形態であってもよい。【００１０】本発明の表示装置としては、赤色（Ｒ）、青色（Ｂ）、及び、緑色（Ｇ）の３色を用いて表示を行うものであれば特に限定されないが、液晶表示装置、有機エレクトロルミネセンス表示装置等が好適である。【００１１】本発明においては、赤色（Ｒ）及び青色（Ｂ）のサブピクセルについて、１つ当たりの開口面積と単位開口面積当たりの光量との積が、緑色（Ｇ）のサブピクセルの略２倍である画素を主体とするが、好ましくは、全ての画素の赤色（Ｒ）及び青色（Ｂ）のサブピクセルについて、１つ当たりの開口面積と単位開口面積当たりの光量との積が、緑色（Ｇ）のサブピクセルの略２倍である。なお、上記光量とは、本発明の表示装置が液晶表示装置等である場合には、透過光量を意味し、有機エレクトロルミネセンス表示装置等の場合には、発光量を意味する。【００１２】本発明における赤色（Ｒ）のサブピクセルとは、波長５７０〜７８０ｎｍの光を主に用いて表示を行うサブピクセルであり、好ましくは、波長６０５〜７００ｎｍの光を９０％以上用いて表示を行うサブピクセルである。また、本発明における緑色（Ｇ）のサブピクセルとは、波長５００〜５７０ｎｍの光を主に用いて表示を行うサブピクセルであり、好ましくは、波長５００〜５６０ｎｍの光を９０％以上用いて表示を行うサブピクセルである。更に、本発明における青色（Ｂ）のサブピクセルとは、波長４３０〜５００ｎｍの光を主に用いて表示を行うサブピクセルであり、好ましくは、波長４３５〜４８０ｎｍの光を９０％以上用いて表示を行うサブピクセルである。また、本発明における赤色（Ｒ）、緑色（Ｇ）、及び、青色（Ｂ）とは、ＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で採用されるように、それぞれ、７００．０ｎｍ、５４６．１ｎｍ、４３５．８ｎｍの単色光を含む。【００１３】本発明の表示装置によれば、見かけ上の解像度を向上させることができるサブピクセルの配列を含む画素、すなわち、Ｒ、Ｇ、Ｂ、及び、Ｇの４つのサブピクセルを含む画素により画像が表示される場合に、白表示のホワイトバランスを改善し、良好な表示品位を得ることができる。【００１４】本発明における赤色（Ｒ）及び緑色（Ｇ）のサブピクセルペアと、青色（Ｂ）及び緑色（Ｇ）のサブピクセルペアとを含む画素（ＲＧＢＧ画素）とは、水平ライン上において、緑色（Ｇ）のサブピクセル同士が隣接しない配置であることが好ましい。一般に、緑色（Ｇ）のサブピクセルは、他の２色のサブピクセルと比べて輝度が高いことが知られている。そのため、緑色（Ｇ）のサブピクセル同士が隣接しない配置とすることにより、均一な表示画像を得ることができる。【００１５】上記表示装置は、赤色（Ｒ）及び青色（Ｂ）のサブピクセルにおける、１つ当たりの開口面積が、緑色（Ｇ）のサブピクセルの略２倍である画素を主体とすることが好ましい。これにより、緑色（Ｇ）のサブピクセル数が赤色（Ｒ）又は青色（Ｂ）のサブピクセル数よりも１つ多いＲＧＢＧ画素により画像を表示する場合に、バックライト、カラーフィルターの設計変更等により単位開口面積当たりの光量を調整することなく、ホワイトバランスを改善し、表示品位の低下を防止することができる。【００１６】上記表示装置は、赤色（Ｒ）及び青色（Ｂ）のサブピクセルにおける、単位開口面積当たりの光量が、緑色（Ｇ）のサブピクセルの略２倍である画素を主体とすることが好ましい。光量の調整は、バックライト、カラーフィルターの設計変更等により行うことができる。これにより、緑色（Ｇ）のサブピクセル数が、赤色（Ｒ）又は青色（Ｂ）のサブピクセル数よりも１つ多いＲＧＢＧ画素により画像を表示する場合に、各色のサブピクセルの開口面積を調整することなく、ホワイトバランスを改善し、表示品位の低下を防止することができる。【００１７】上記表示装置は、バックライトを有し、上記バックライトは、赤色（Ｒ）及び青色（Ｂ）の発光強度が緑色（Ｇ）の発光強度に対して略２倍であることが好ましい。バックライトの設計を変更して、赤色（Ｒ）及び青色（Ｂ）の発光強度を緑色（Ｇ）の発光強度に対して略２倍とすることにより、緑色（Ｇ）のサブピクセル数が赤色（Ｒ）又は青色（Ｂ）のサブピクセル数よりも１つ多いＲＧＢＧ画素により画像を表示する場合に、各色のサブピクセルの開口面積を調整することなく、ホワイトバランスを改善することができ、表示品位の低下を防止することができる。なお、赤色（Ｒ）及び青色（Ｂ）の発光強度が緑色（Ｇ）の発光強度に対して略２倍であるバックライトとしては、例えば、熱陰極蛍光管、冷陰極蛍光管等が挙げられる。【００１８】上記表示装置は、赤色（Ｒ）、緑色（Ｇ）、青色（Ｂ）及び緑色（Ｇ）の順にサブピクセルが配置されていることが好ましい。これにより、表示品位の向上を図ることができる。このような表示装置における画素の形態としては、赤色（Ｒ）、緑色（Ｇ）、青色（Ｂ）及び緑色（Ｇ）の順にサブピクセルが配置されたものでもよく、緑色（Ｇ）、赤色（Ｒ）、緑色（Ｇ）、及び、青色（Ｂ）の順にサブピクセルが配置されたものでもよく、青色（Ｂ）、緑色（Ｇ）、赤色（Ｒ）、及び、緑色（Ｇ）の順にサブピクセルが配置されたものでもよい。【００１９】上記表示装置は、サブピクセルペアを信号単位とする画像信号を色毎に生成し、上記赤色（Ｒ）及び青色（Ｂ）のサブピクセルは、連続するサブピクセルペアに対応する２以上の画像信号を平均化処理して得られる平均化画像信号によりそれぞれ駆動されることが好ましい。緑色（Ｇ）のサブピクセルに対応する画像信号は、従来の赤色（Ｒ）、緑色（Ｇ）、及び青色（Ｂ）の３つのサブピクセルから構成される画素（ＲＧＢ画素）で用いられる信号をそのまま駆動回路へ入力することにより、緑色（Ｇ）のサブピクセルを表示することができる。しかしながら、赤色（Ｒ）及び青色（Ｂ）のサブピクセルについては、本発明のサブピクセルの配置に応じ、画像信号の調整が必要である。例えば青色（Ｂ）及び緑色（Ｇ）のサブピクセルペアに対して赤色（Ｒ）の画像信号が入力されたとしても表示に用いられることはないように、赤色（Ｒ）及び青色（Ｂ）の画像信号を緑色（Ｇ）の画像信号と同様に同じ数だけ駆動回路へ入力しても、表示に用いられない画像信号が半分存在することとなり、赤色（Ｒ）及び青色（Ｂ）については画像信号の内容を忠実に表示に反映することができない。そこで、上述のように、赤色（Ｒ）及び青色（Ｂ）のサブピクセルを、連続するサブピクセルペアに対応する２以上の画像信号を平均化処理して得られる平均化画像信号によりそれぞれ駆動することとすると、すべての赤色（Ｒ）及び青色（Ｂ）の画像信号を表示に用いることができるため、高精細な表示品位を保つことができる。
なお、本発明における表示装置としては、輝度を向上させるために配置された白色（Ｗ）のサブピクセルを含む赤色（Ｒ）、緑色（Ｇ）、白色（Ｗ）のサブピクセルペアと、青色（Ｂ）、緑色（Ｇ）、白色（Ｗ）のサブピクセルペアとを含む画素により画像が構成される表示装置であってもよい。【００２０】上記平均化処理は、２以上の画像信号を階調値から輝度値に変換して平均値を得た後、上記平均値から階調値に再変換して平均化画像信号を生成するものであることが好ましい。人間の視覚を通じて観察される解像度（見かけ上の解像度）は、画素の数（実際の解像度）だけでなく、輝度（明るさ）の分布にも影響されるものである。一方、通常の表示装置では、画像信号は、輝度データではなく、階調データが用いられるため、ローパスフィルタにおいて、入力される２以上の画像信号を平均化処理しても、階調値の平均値となるものの、輝度値の平均値とはならず、赤色（Ｒ）及び青色（Ｂ）の理想の輝度値を得ることができない。そこで、赤色（Ｒ）及び青色（Ｂ）のサブピクセルが、２以上の画像信号を階調値から輝度値に変換して平均値を得た後、その平均値から階調値に再変換して生成された平均化画像信号によりそれぞれ駆動されることにより、赤色（Ｒ）及び青色（Ｂ）を理想の輝度値で表示することができる。【００２１】上記平均化画像信号は、赤色（Ｒ）のサブピクセルに入力される画像信号と、青色（Ｂ）のサブピクセルに入力される画像信号とで、平均化処理に用いられるサブピクセルペアの組み合わせが異なることが好ましい。これにより、赤色（Ｒ）及び青色（Ｂ）の画像信号の平均化処理に同じローパスフィルタを用いた場合に比べ、本発明の赤色（Ｒ）及び青色（Ｂ）のサブピクセルの配置により適した画像信号が赤色（Ｒ）及び青色（Ｂ）のサブピクセルに入力されることになる。【００２２】上記表示装置は、赤色（Ｒ）のサブピクセルと青色（Ｂ）のサブピクセルとに共通のデータ信号線が接続されたものであることが好ましい。これにより、データ信号線数を増加させることなく、本発明のサブピクセルの配置に対応したデータ信号線を確保することができる。【００２３】上記表示装置は、入力側に第１及び第２の入力線が接続され、かつ出力側に第１及び第２のデータ信号線が接続された駆動回路（ソースドライバー）を有し、上記第１の入力線は、赤色（Ｒ）及び青色（Ｂ）のサブピクセルに対応する画像信号の混成信号を第１のデータ信号線に対して供給し、上記第２の入力線は、緑色（Ｇ）のサブピクセルに対応する画像信号を第２のデータ信号線に対して供給することが好ましい。これにより、赤色（Ｒ）のサブピクセルと青色（Ｂ）のサブピクセルとに共通のデータ信号線が接続された場合であっても、駆動回路から出力されるデータとサブピクセルとの関係を一致させることができる。すなわち、本発明のＲＧＢＧ画素に対応した駆動回路を用い、駆動回路へ画像信号が入力される前に、従来のＲＧＢ画素により画像を構成する場合の画像信号（データ）を本発明のサブピクセルの配置に対応したデータに並び替える。その結果、本発明のＲＧＢＧ画素により画像を表示することができる。なお、上記第１の入力線が供給する混成信号とは、赤色（Ｒ）のサブピクセルに対応する画像信号と青色（Ｂ）のサブピクセルに対応する画像信号とが交互に配置された信号である。【００２４】上記表示装置は、入力側に第１、第２及び第３の入力線が接続され、かつ出力側にデータ信号線が接続された駆動回路を有し、上記第１、第２及び第３の入力線は、それぞれ赤色（Ｒ）、緑色（Ｇ）及び青色（Ｂ）のサブピクセルに対応する画像信号の混成信号をデータ信号線に対して供給することが好ましい。これにより、赤色（Ｒ）のサブピクセルと青色の（Ｂ）サブピクセルとに共通のデータ信号線が接続された場合であっても、従来のＲＧＢ画素により画像を表示するための駆動回路（ＲＧＢ画素用駆動回路）から出力されるデータとサブピクセルとの関係を一致させることができる。すなわち、駆動回路へ画像信号が入力される前に、ＲＧＢ画素により画像を構成する場合の画像信号（データ）を本発明のサブピクセルの配置に対応したデータに並び替える。その結果、従来のＲＧＢ画素用駆動回路を用いて、本発明のＲＧＢＧ画素により画像を表示することができる。【００２５】上記表示装置は、画素が碁盤目状に配置された表示部を有し、サブピクセルに印加される階調電圧の極性が、隣接する画素毎、ライン毎、及び、フレーム毎に反転されることが好ましい。液晶等に長時間片極性の電圧を印加すると、画素の電荷が偏り焼き付き現象が現れる。この焼き付き現象を回避するため交流駆動が必要となり、隣り合うサブピクセルに印加される階調電圧の極性、及び、フレーム毎に各サブピクセルに印加される階調電圧の極性を反転させる必要がある。このため、従来のＲＧＢ画素により画像を表示する場合は、階調電圧の極性をサブピクセル毎、ライン毎、フレーム毎に反転させていた。しかしながら、本発明におけるＲＧＢＧ画素により画像を表示する場合には、従来と同じ方法により、階調電圧の極性を反転させると、ライン上の隣り合う同色のサブピクセルの階調電圧が同じ極性となってしまう。理想通り＋極性と−極性の輝度が一致していれば問題はないが、実際には＋極性と−極性との間で輝度のばらつきあるため、この場合、ライン毎に輝度が異なることになる。そのため、ライン上の隣り合う同色のサブピクセル同士は逆極性であることが好ましい。そこで、サブピクセルに印加される階調電圧の極性を隣接する画素毎、ライン毎、及び、フレーム毎に反転させ、ライン上の隣り合う同色のサブピクセルの階調電圧の極性を互いに反転させることにより、隣り合う同色のサブピクセルに印加される階調電圧の極性を反転させることができ、＋極性と−極性との輝度のばらつきによる弊害を防止することができる。なお、上記ラインとは、碁盤目状に配置された画素の縦方向の列であってもよいし、横方向の列であってもよい。
なお、この反転方法は、垂直ライン上に、同色のサブピクセルが並べられた配置からなるストライプ状の画素により画像が表示される場合も、同様の効果が得られる。このストライプ状の画素により画像を表示する場合には、例えば、赤色（Ｒ）や青色（Ｂ）の単色の縦の直線の表示がジグザグになることを防止することができる。【００２６】本発明の表示装置の構成としては、このような構成要素を含んで形成されるものである限り、その他の構成要素を含んでいても含んでいなくてもよく、特に限定されるものではない。
【発明の効果】
【００２７】本発明の表示装置によれば、解像度を向上させることができるサブピクセルの配列を含む画素、すなわち、Ｒ、Ｇ、Ｂ、及び、Ｇの４つのサブピクセルを含む画素により画像が表示される場合に、白表示のホワイトバランスを改善し、良好な表示品位を得ることができる。
【発明を実施するための最良の形態】
【００２８】以下に実施例を掲げ、図面を参照して、本発明を更に詳細に説明するが、本発明はこれらの実施例のみに限定されるものではない。【００２９】（実施例１）
以下に、本発明の赤色（Ｒ）及び緑色（Ｇ）のサブピクセルペアと、青色（Ｂ）及び緑色（Ｇ）のサブピクセルペアとを含む画素（ＲＧＢＧ画素）により画像が構成される表示装置について説明する。なお、従来の赤色（Ｒ）、緑色（Ｇ）及び青色（Ｂ）の３つのサブピクセルから構成される画素を以下、ＲＧＢ画素という。【００３０】（１）画素のホワイトバランスについて
ＲＧＢＧ画素により画像を構成した場合には、１画素につき２つのピークを有する輝度分布とすることができるので、見かけ上の解像度を向上させることができるという利点がある。一方で、ＲＧＢＧ画素により画像が表示される場合に、サブピクセルを駆動する画像信号として従来のＲＧＢ画素の画像信号を用いると、１画素中の緑色（Ｇ）のサブピクセル数が赤色（Ｒ）又は青色（Ｂ）のサブピクセル数よりも多いため、それぞれのサブピクセルを最大輝度で点灯し、白色を表示すると、ホワイトバランスが緑色（Ｇ）側に傾いてしまう。そこで、以下に、本発明におけるホワイトバランスを改善する方法（１〜３）について説明する。【００３１】〔ホワイトバランスを改善する方法１−サブピクセルの開口面積を変更する〕
図３（ａ）は、従来のＲＧＢ画素２つ分（Ｒ、Ｇ、Ｂ、Ｒ、Ｇ、Ｂの順に並んだサブピクセルから構成されている）を示す。この場合、１画素中の赤色（Ｒ）、青色（Ｂ）及び緑色（Ｇ）は、同じ開口面積となり、ホワイトバランスが緑色（Ｇ）側に移動する問題は生じない。この図３（ａ）に示した従来のＲＧＢ画素を基にして、ＲＧＢＧ画素の最適な構成を考えるため、従来のＲＧＢ画素２つ分を本発明のＲＧＢＧ画素の色配列に対応するサブピクセルの配置となるように並び替えると、図３（ｂ）に示すように、Ｒ、Ｒ、Ｇ、Ｂ、Ｂ、Ｇの順にサブピクセルを配置することになる。したがって、図３（ｂ）に示されたサブピクセルの配置形態を基にすれば、Ｒ、Ｇ、Ｂ、Ｇの順にサブピクセルが配置され、かつ図３（ａ）と同等のホワイトバランスが得られるＲＧＢＧ画素の形態は、図３（ｃ）に示すように、赤色（Ｒ）と青色（Ｂ）のサブピクセルの開口面積が、緑色（Ｇ）のサブピクセルの開口面積の２倍となったものであることが分かる。この場合、１画素中における赤色（Ｒ）又は青色（Ｂ）は、緑色（Ｇ）と同じ開口面積となるため、ホワイトバランスが緑色（Ｇ）側に傾くことはない。【００３２】また、この際、赤色（Ｒ）及び緑色（Ｇ）のサブピクセルペア、並びに、青色（Ｂ）及び緑色（Ｇ）のサブピクセルペアがそれぞれ正方形となるように、各サブピクセルの縦横のサイズを設計することが好ましい。これにより、各サブピクセルペアを隙間無く配置することができるため、カラーフィルターの設計上好ましい。ただし、ホワイトバランスを改善するために、サブピクセルの開口面積を赤色（Ｒ）又は青色（Ｂ）：緑色（Ｇ）＝２：１としても、サブピクセルペアの形状を正方形にする場合に、サブピクセルの横の長さの比が赤色（Ｒ）又は青色（Ｂ）：緑色（Ｇ）＝２：１になるとは限らない。すなわち、配線や薄膜トランジスタ等の存在により、サブピクセルの開口面積が変化するため、各色のサブピクセルの開口面積の比率、及び、各色のサブピクセルペアの縦横の長さがそれぞれ条件を満たすように、各色のサブピクセルのサイズを設計する必要がある。【００３３】画素を上記構成とすることにより、見かけ上の解像度に重要な影響を及ぼす緑色（Ｇ）のサブピクセルが増えるため、見かけ上の解像度を高くすることができる。一方、一般に、赤色（Ｒ）、青色（Ｂ）のサブピクセルは、緑色（Ｇ）のサブピクセルと比べて輝度が低いため、見かけ上の解像度に影響を及ぼすことが少なく、色調整用としての意味合いが強い場合が多い。よって、本発明のＲＧＢＧ画素は、赤色（Ｒ）及び青色（Ｂ）のサブピクセル数が、緑色（Ｇ）のサブピクセル数よりも少ないが、カラー表示（色再現範囲）に影響を及ぼすことはないと考えられる。【００３４】〔ホワイトバランスを改善する方法２−バックライトの設計を変更する〕
また、バックライトの設計を変更することによってもホワイトバランスを改善することができる。カラー液晶パネルに用いられる代表的なバックライト（三波長蛍光管）は、図１８に示すような発光スペクトルを示す。各色の光は、バックライトの白色光が、各色の波長の光のみ通り抜けるよう設計されたカラーフィルターを通過することにより作られる。例えば、赤色（Ｒ）に相当する波長の発光スペクトルの光強度が２倍となるように、バックライトを設計すれば、赤色（Ｒ）サブピクセルのカラーフィルターを透過した光の発光スペクトルも２倍の光強度となるため、赤色（Ｒ）のサブピクセルの輝度を２倍にすることができる。また、緑色（Ｇ）に相当する波長の発光スペクトルの光強度を２分の１倍となるように、バックライトを設計して、相対的に赤色（Ｒ）及び青色（Ｂ）のサブピクセルの１つあたりの光透過量を緑色（Ｇ）の２倍となるように調整することもできる。【００３５】〔ホワイトバランスを改善する方法３−カラーフィルターの設計を変更する〕
また、カラーフィルターの設計を変更することにより、ホワイトバランスを改善することもできる。赤色（Ｒ）及び青色（Ｂ）のサブピクセルの１つ当たりの光透過量が緑色（Ｇ）の２倍となるように、カラーフィルターの設計を変更することにより、緑色（Ｇ）に傾いたホワイトバランスを改善することができる。しかしながら、通常、この方法では、各サブピクセルの色純度を低下させてしまう。すなわち、バックライトの設計を変更することなく、例えば、赤色（Ｒ）のサブピクセルのカラーフィルターの透過率が大きくなるように設計を変更して、赤色（Ｒ）のサブピクセルの１つあたりの光透過量を大きくする場合、赤色（Ｒ）の光のカラーフィルターにおける透過率は高くなるものの、図１９に示すように、赤色（Ｒ）のサブピクセルのカラーフィルターは赤色（Ｒ）以外の波長の光も透過させるため、他の色の光の透過率も高くなり、結果的に赤色（Ｒ）の色純度が低下してしまう。したがって、方法３は、透過率を高くすることができ、かつ、色純度の低下を防止することができるカラーフィルターを設計することができる場合に、ホワイトバランスの改善に特に効果的である。【００３６】（２）画像信号の平均化処理について
赤色（Ｒ）及び青色（Ｂ）のサブピクセルに対応する画像信号は、本発明のＲＧＢＧ画素を有するパネルに対応するように変換する必要がある。すなわち、本発明における画像信号は、サブピクセルペア毎に設けられた緑色（Ｇ）のサブピクセルのそれぞれに対して個別の信号を入力することができるように、通常では、色毎にサブピクセルペアを信号単位として生成され、青色（Ｂ）及び緑色（Ｇ）のサブピクセルペアの位置に対応して入力される赤色（Ｒ）の画像信号は、表示に用いられることはない。これは、赤色（Ｒ）及び緑色（Ｇ）のサブピクセルペアの位置に対応して入力される青色（Ｂ）の画像信号の場合も同様である。そのため、赤色（Ｒ）及び青色（Ｂ）の画像信号をそのまま駆動回路へ入力すると、表示に用いられない画像信号が存在し、表示に有効に用いられる赤色（Ｒ）及び青色（Ｂ）の画像信号は、緑色（Ｇ）の画像信号の半分となる。【００３７】したがって、本発明においては、図４に示すように、赤色（Ｒ）及び青色（Ｂ）のサブピクセルは、ローパスフィルタ（Ｌｏｗ−Ｐａｓｓ  Ｆｉｌｔｅｒ；ＬＰＦ）において、連続するサブピクセルペアに対応する２以上の画像信号を平均化処理して得られる平均化画像信号によりそれぞれ駆動することが好ましい。これにより、すべての赤色（Ｒ）及び青色（Ｂ）の画像信号を表示に用いることができるため、赤色（Ｒ）及び青色（Ｂ）について、画像信号をより忠実に画像表示に反映させることが可能となり、表示品位を向上させることができる。
以下に、平均化処理の方法の詳細について説明する。【００３８】〔平均化処理の方法１〕
画像信号は、通常、階調データ（階調値）である。階調値と輝度値の関係は、一般に、下記式；
［輝度値］＝［階調値］２．２（１）
を満たすため、階調値の平均値は単純に輝度値の平均値と対応しない。例えば、あるサブピクセルの階調データが２５５階調（最大輝度）であるとし、次のサブピクセルの階調データが０階調（最低輝度）であるとすると、階調データの平均値は、小数点以下を切り捨てると１２７階調となる。従って、１２７階調を表示したときの輝度値が、２５５階調を表示したときの輝度値と０階調を表示したときの輝度値とを平均した値になるように一見思われる。しかしながら、上記式（１）にあてはめると、１２７階調を表示した場合の輝度値は、最大輝度値の２１％程度（＝（１２７／２５５）２．２）となってしまい、理想の輝度値を得ることができない。そこで、図５に示すように、画像信号がＬＰＦに入力される前に、赤色（Ｒ）と青色（Ｂ）の画像信号を輝度値に変換してから平均化処理し、ＬＰＦから出力された後に階調データに変換して、駆動回路へ入力する。これにより、平均化処理しても赤色（Ｒ）及び青色（Ｂ）のサブピクセルが理想の輝度値を得ることができる。【００３９】〔平均化処理の方法２〕
連続するサブピクセルペアに対応する２以上の画像信号をＬＰＦでサンプルして平均化処理するとき、赤色（Ｒ）のサブピクセルに入力される画像信号と、青色（Ｂ）のサブピクセルに入力される画像信号とで、平均化処理に用いられるサブピクセルペアの組み合わせが異なるようにサンプリングする。例えば、赤色（Ｒ）と青色（Ｂ）のサブピクセルへ入力される画像信号を平均化処理する場合に、１サブピクセルペア分ずらしてサンプリングする。このようなサンプリング方法を用いる理由について、以下に詳述する。【００４０】図６は、本実施例におけるサブピクセルの配置とそれに対応する平均化処理前の画像信号を示す。図６中、Ｒ１〜Ｒ３、Ｂ１〜Ｂ３及びＧ１〜Ｇ３は、それぞれ赤色（Ｒ）、青色（Ｂ）及び緑色（Ｇ）のサブピクセルに入力される画像信号を示す。画像信号は、サブピクセルペアを信号単位とする。赤色（Ｒ）と青色（Ｂ）のサブピクセルに入力される画像信号の平均化処理に同一のＬＰＦを用いた場合は、赤色（Ｒ）のサブピクセルに入力される画像信号は、図６中の実線矢印で示すようにＲ１とＲ２とを平均化処理して得られる平均化画像信号となる。この場合には、平均化処理に用いられたＲ１とＲ２の中間あたりに、赤色（Ｒ）のサブピクセルが位置することになるので、平均化処理された画像信号とサブピクセルの配置とが対応している。【００４１】一方、赤色（Ｒ）のサブピクセルと同様に、Ｂ１とＢ２とを平均化処理して青色（Ｂ）の平均化画像信号を得た場合には、平均化処理に用いられたＢ１とＢ２の中間あたりに、青色（Ｂ）のサブピクセルが位置することにならず、平均化処理された画像信号とサブピクセルの配置とが充分に対応しているとは言えない。むしろ、破線矢印で示すように、Ｂ２とＢ３とを平均化処理して青色（Ｂ）の平均化画像信号を得た場合の方が、平均化処理に用いられたＢ２とＢ３の中間あたりに、青色（Ｂ）のサブピクセルが位置することになり、平均化処理された画像信号とサブピクセルの配置とが対応している。このことから、赤色（Ｒ）及び青色（Ｂ）のサブピクセルに入力される画像信号の平均化処理には異なるＬＰＦを用いることとし、図７に示すように、赤色（Ｒ）のサブピクセルに入力される画像信号は、Ｒ１とＲ２とを平均化処理して得られる平均化画像信号Ｒ１２とし、青色（Ｂ）のサブピクセルに入力される画像信号は、データ単位を１つ分ずらしたＢ２とＢ３とを平均化処理して得られる平均化画像信号Ｂ２３とする。なお、図７は、本実施例におけるサブピクセルの配置とそれに対応する平均化処理後の画像信号を示す。【００４２】（３）画像信号の入力方法について
図８は、画像信号、ゲート信号、及び、ＲＧＢＧ画素の各サブピクセルとの関係を示す。図中の四角で囲まれたＧ１１〜Ｇ１３、Ｇ２１〜Ｇ２３、Ｒ１１〜Ｒ１３、Ｂ１１〜Ｂ１３は、それぞれ緑色（Ｇ）、赤色（Ｒ）及び青色（Ｂ）のサブピクセルを示す。図中の黒塗りの菱形は、各サブピクセルを駆動するための薄膜トランジスタ（ＴＦＴ）を示す。ＴＦＴには、サブピクセルの電極（画素電極）の電圧を制御するための画像信号を供給するデータ信号線（縦の配線）と、画像信号の書込みを制御するゲート信号を供給するゲート信号線（横の配線）が接続されている。すなわち、画像信号とゲート信号によって各サブピクセルを駆動する。例えば、ゲート信号線に送られたゲート信号（１）、及び、データ信号線に送られた緑色（Ｇ）の画像信号により、Ｇ１１を駆動させることができる。【００４３】図８においては、同一垂直ライン上に赤色（Ｒ）及び青色（Ｂ）のサブピクセルが交互に配置され、同一垂直ライン上のサブピクセルを駆動するために２本のデータ信号線が設けられている。これに対し、本実施例においては、図９に示すように、図８で示す赤色（Ｒ）のサブピクセル及び青色（Ｂ）のサブピクセルに接続された２本のデータ信号線を共通化して、１本のデータ信号線とする。これにより、データ信号線数を増加させることなく、本発明のサブピクセルの配置に対応したデータ信号線を確保することができる。なお、図９は、本実施例における画像信号、ゲート信号、及び、ＲＧＢＧ画素の各サブピクセルとの関係を示している。【００４４】図１０は、従来のＲＧＢ画素用の駆動回路（ソースドライバー）から出力される画像信号と、サブピクセルの水平方向の配列との関係を示す図である。図１０において、ＲＧＢ画素用駆動回路上に記載された英小文字のｒ、ｇ及びｂは、それぞれ駆動回路に入力された赤色（Ｒ）、緑色（Ｇ）及び青色（Ｂ）の画像信号が出力されるデータ信号線の位置を示す。また、Ｒ１〜Ｒ６、Ｇ１〜Ｇ６、Ｂ１〜Ｂ６は、それぞれ赤色（Ｒ）、緑色（Ｇ）及び青色（Ｂ）のサブピクセルを示す。図９に示すように、赤色（Ｒ）のサブピクセルと青色（Ｂ）のサブピクセルとでデータ信号線の共通化を行った場合、図１０に示すように、ＲＧＢ画素用の駆動回路（ソースドライバー）から出力された画像信号と、サブピクセルとの対応関係が一致しない。例えば、図１０中、左から４番目の英小文字ｒに対応するデータ信号線からは、赤色（Ｒ）の画像信号が出力されるが、データ信号線上に配置されたサブピクセルは、Ｇ２であり、駆動回路から出力される画像信号とサブピクセルとの関係が一致しない。【００４５】このようなデータ信号線の共通化を行う場合の画像信号の入力方法としては、駆動回路に入力される前に画像信号の並べ替えを行っておく方法がある。この場合には、駆動回路へ入力する前に、奇数ラインのサブピクセルに入力する画像信号を図１１（ａ）に示すように、偶数ラインのサブピクセルに入力する画像信号を図１１（ｂ）に示すように並び替える。これにより、赤色（Ｒ）のサブピクセルと青色（Ｂ）のサブピクセルとに共通のデータ信号線が接続された場合に、駆動回路から出力される画像信号とサブピクセルとの関係を一致させることができ、本実施例のサブピクセル配置からなる画素により画像を表示することができる。【００４６】また、従来のＲＧＢ画素用駆動回路とは異なる専用のＲＧＢＧ画素用駆動回路を用いる方法もある。この場合には、図１２に示すように、駆動回路の入力側に、第１及び第２の入力線が接続され、かつ出力側に第１及び第２のデータ信号線が接続された駆動回路が用いられる。図中、英大文字Ｘは、赤色（Ｒ）と青色（Ｂ）の画像信号に対応する第１のデータ信号を、英大文字Ｇは、緑色（Ｇ）の画像信号に対応する第２のデータ信号を示す。また、ＲＧＢＧ画素用駆動回路上に記載された英小文字のｘ及びｇは、それぞれ駆動回路に入力された第１のデータ信号及び第２のデータ信号が出力される第１及び第２のデータ信号線の位置を示す。第１の入力線は、赤色（Ｒ）及び青色（Ｂ）のサブピクセルに対応する第１のデータ信号（Ｘ）を第１のデータ信号線に対して供給し、第２の入力線は、緑色（Ｇ）のサブピクセルに対応する第２のデータ信号を第２のデータ信号線（Ｇ）に対して供給するものである。【００４７】このような専用のＲＧＢＧ画素用駆動回路により画像を表示するためには、駆動回路へ入力する前に、奇数ラインのサブピクセルに入力する画像信号を図１３（ａ）に示すように、偶数ラインのサブピクセルに入力する画像信号を図１３（ｂ）に示すように並び替える。これにより、赤色（Ｒ）のサブピクセルと青色（Ｂ）のサブピクセルとに共通のデータ信号線が接続された場合に、駆動回路から出力される画像信号とサブピクセルとの関係を一致させることができ、本実施例のサブピクセル配置からなる画素により画像を表示することができる。【００４８】（４）階調電圧の極性について
図１４は、従来のＲＧＢ画素の極性反転駆動（ドット反転駆動）において、サブピクセルに印加される階調電圧の極性の分布を示す図である。図中において、＋と−は、サブピクセルに印加された階調電圧の極性を示す。また、（ａ）はＮフレーム（Ｎは、自然数）、（ｂ）はＮ＋１フレームを示す（図１４〜１７において同じ）。従来の極性反転駆動は、１サブピクセル毎、１ライン毎、フレーム毎にサブピクセルに印加される階調電圧の極性を反転させるものである。すなわち、ある赤色（Ｒ）のサブピクセルに注目すると、同一ライン上（水平方向）では、注目するサブピクセルの次の赤色（Ｒ）のサブピクセルは、注目するサブピクセルに印加される階調電圧の極性と反転している。また、垂直方向では、赤色（Ｒ）のサブピクセルに印加される階調電圧の極性は、奇数ラインと偶数ラインとで反転している。更に、赤色（Ｒ）のサブピクセルに印加される階調電圧の極性は、Ｎフレームと（Ｎ＋１）フレームとで反転する。【００４９】ここで、＋極性の状態と−極性の状態とでは、ＴＦＴ等の寄生容量に起因して画素電極の電位が異なることがあるため、＋極性側の表示と−極性側の表示とでは、輝度に若干の差がある。そのため、水平方向又は垂直方向で隣接する同色のサブピクセルは、従来のＲＧＢ画素におけるドット反転駆動のように、互いに逆極性であることが好ましい。しかしながら、本実施例のＲＧＢＧ画素により画像を表示する場合、図１５に示すように、従来のドット反転駆動を行うと、同一ライン上の各色のサブピクセルに印加される電圧の極性は、常に同じになってしまう。そこで、本実施例においては、図１６に示すように、サブピクセルに印加される階調電圧の極性が、画素（４サブピクセル）毎、ライン毎、フレーム毎に反転することとする。これにより、同一ライン上の同じ色のサブピクセルに印加される階調電圧の極性が同じになることを防止することができる。【００５０】（５）サブピクセルの色配列について
なお、本実施例における駆動方式は、図１７に示すように、各色のサブピクセルをストライプ状に配置したパネル構成に対しても同様の効果がある。例えば、赤色（Ｒ）と青色（Ｂ）のサブピクセルが、垂直方向において交互に配置された場合には、垂直方向に赤の直線を表示するとジグザグに表示され、視覚的に違和感を覚える。このような表示は、パーソナルコンピュータ等で多く用いられる。これに対し、図１７に示すように、垂直方向に同色のサブピクセルを配置したストライプ状の画素構成によれば、垂直方向に描かれた単色の直線の表示が、ジグザクになることを防止することができる。【００５１】なお、本願は、２００５年４月２２日に出願された日本国特許出願２００５−１２５３８２号を基礎として、（合衆国法典３５巻第１１９条に基づく）優先権を主張するものである。該出願の内容は、その全体が本願中に参照として組み込まれている。【００５２】また、本願明細書における「以上」は、当該数値を含むものである。すなわち、「以上」とは、不少（当該数値及び当該数値以上）を意味するものである。
【図面の簡単な説明】
【００５３】
【図１】（ａ）は、従来の赤色（Ｒ）、青色（Ｂ）、及び、緑色（Ｇ）のサブピクセルをそれぞれ１つずつ組み合わせた画素（ＲＧＢ画素）の配列を示す概念図であり、（ｂ）は、ＲＧＢ画素の輝度分布を示す概念図である。
【図２】（ａ）は、赤色（Ｒ）及び緑色（Ｇ）のサブピクセルペアと、青色（Ｂ）及び緑色（Ｇ）のサブピクセルペアとを含む画素（ＲＧＢＧ画素）の配列を示す概念図であり、（ｂ）は、ＲＧＢＧ画素の輝度分布を示す概念図である。
【図３】（ａ）は、従来の隣接する２つのＲＧＢ画素におけるサブピクセルの配列を示す概念図であり、（ｂ）は、（ａ）のサブピクセルを並び替えて本発明のＲＧＢＧ画素を擬似的に再現したものを示す概念図であり、（ｃ）は、赤色（Ｒ）と青色（Ｂ）のサブピクセルの面積が緑色（Ｇ）のサブピクセルの２倍となった本発明のＲＧＢＧ画素を示す概念図である。
【図４】赤色（Ｒ）と青色（Ｂ）の画像信号のみがローパスフィルタ（ＬＰＦ）を通過する様子を示す概念図である。
【図５】ＬＰＦを通過する前後の赤色（Ｒ）と青色（Ｂ）の画像信号の処理方法を示す概念図である。
【図６】ＲＧＢＧ画素のサブピクセル配置とそれに対応する画像信号を示す概念図である。
【図７】ＲＧＢＧ画素のサブピクセル配置に対応する平均化画像信号を示す概念図である。
【図８】ＲＧＢ画素用の駆動回路を用いた場合の画像信号、ゲート信号、及び、ＲＧＢＧ画素の各サブピクセルとの関係を示す概念図である。
【図９】図８の赤色（Ｒ）及び青色（Ｂ）と接続されたソース信号線を共通化した場合の、画像信号、ゲート信号、及び、ＲＧＢＧ画素の各サブピクセルとの関係を示す概念図である。
【図１０】図８の赤色（Ｒ）及び青色（Ｂ）と接続されたソース信号線を共通化した場合の、画像信号とＲＧＢＧ画素の各サブピクセルとの関係を示す概念図である。
【図１１】ＲＧＢ画素用の駆動回路へ入力される前に並び変えた画像信号を示す概念図である。（ａ）は奇数ラインを示し、（ｂ）偶数ラインを示す。
【図１２】図８の赤色（Ｒ）及び青色（Ｂ）と接続されたソース信号線を共通化した場合の、画像信号とＲＧＢＧ画素の各サブピクセルとの関係を示す概念図である。
【図１３】ＲＧＢＧ画素用の駆動回路へ入力される前に並び変えた画像信号を示す概念図である。（ａ）は奇数ラインを示し、（ｂ）偶数ラインを示す。
【図１４】従来のＲＧＢ画素の配列に対して極性反転駆動を行った場合のサブピクセルに印可された階調電圧の極性を示す模式図である。（ａ）は、現フレームを示し、（ｂ）は、次フレームを示す。
【図１５】ＲＧＢＧ画素の配列に対して、従来のサブピクセル毎の極性反転駆動を行った場合のサブピクセルに印加された階調電圧の極性を示す模式図である。（ａ）は、現フレームを示し、（ｂ）は、次フレームを示す。
【図１６】ＲＧＢＧ画素の配列に対して、画素（４サブピクセル）毎の極性反転駆動を行った場合のサブピクセルに印加された階調電圧の極性を示す模式図である。（ａ）は、現フレームを示し、（ｂ）は、次フレームを示す。
【図１７】ＲＧＢＧ画素の配列の別の一例に対して、画素（４サブピクセル）毎の極性反転駆動を行った場合のサブピクセルに印加された階調電圧の極性を示す模式図である。（ａ）は、現フレームを示し、（ｂ）は、次フレームを示す。
【図１８】一般的なバックライトの発光スペクトルを示す。
【図１９】一般的な赤色（Ｒ）、緑色（Ｇ）及び青色（Ｂ）のカラーフィルターの透過スペクトルを示す。
【図１】
0004781351.tif 000002
【図２】
0004781351.tif 000003
【図３】
0004781351.tif 000004
【図４】
0004781351.tif 000005
【図５】
0004781351.tif 000006
【図６】
0004781351.tif 000007
【図７】
0004781351.tif 000008
【図８】
0004781351.tif 000009
【図９】
0004781351.tif 000010
【図１０】
0004781351.tif 000011
【図１１】
0004781351.tif 000012
【図１２】
0004781351.tif 000013
【図１３】
0004781351.tif 000014
【図１４】
0004781351.tif 000015
【図１５】
0004781351.tif 000016
【図１６】
0004781351.tif 000017
【図１７】
0004781351.tif 000018
【図１８】
0004781351.tif 000019
【図１９】
0004781351.tif 000020